(57)【要約】【課題】剛性の高いベース板にて安定よく支持でき、しかもベース板と屋根面との間からの水はけをよくでき、さらに複数のベース板の接続を容易にでき、さらに屋根下地に水が浸入しないうように取り付けることができるようにする。【解決手段】左右方向に山部１５と谷部１６とを交互に設けた金属の波板状のベース板１を屋根瓦６の上に載設する。金属の固定フレーム１７をベース板１の山部１５上にベース板１の左右方向に亙るように載置する。固定フレーム１７から固着具１８をベース板１の山部１５、屋根瓦６を介して屋根下地１３まで打設して固定フレーム１７とベース板１とを固定する。固定フレーム１７を介してベース板１上に太陽電池パネル８、太陽熱集熱パネル、緑化パネル２６等の屋根機能パネルＡを載置する。ベース板１に固定した取り付け金具３で屋根機能パネルＡの周縁を取り付ける。【選択図】        図１
2004204502.tif 000002
【特許請求の範囲】
【請求項１】
左右方向に山部と谷部とを交互に設けた金属の波板状のベース板を屋根瓦の上に載設し、山部や谷部の長手方向と直交する方向に長手方向が向く金属の固定フレームをベース板の山部上にベース板の左右方向に亙るように載置し、固定フレームからビス、釘等の固着具をベース板の山部、屋根瓦を介して屋根下地まで打設して固定フレームとベース板とを固定し、固定フレームを介してベース板上に太陽電池パネル、太陽熱集熱パネル、緑化パネル等の屋根機能パネルを載置し、ベース板に固定した取り付け金具で屋根機能パネルの周縁を固定したことを特徴とする屋根機能パネルの取り付け構造。
【請求項２】
波板状のベース板を左右に複数枚並べ、左右に隣り合うベース板間で左右のベース板の波板形状を互い重ね合わせて接続したことを特徴とする請求項１記載の屋根機能パネルの取り付け構造。
【請求項３】
波板状のベース板を軒棟方向に複数枚並べ、軒棟方向に隣り合うベース板間で両のベース板の波板形状を互いに重ね合わせて接続したことを特徴とする請求項１または請求項２記載の屋根機能パネルの取り付け構造。
【請求項４】
ベース板の左右方向の端部の少なくとも１つの山部を越えた内側の位置で固定フレームからビス、釘等の固着具をベース板の山部、屋根瓦を介して屋根下地まで打設したことを特徴とする請求項１乃至請求項３のいずれかに記載の屋根機能パネルの取り付け構造。
【請求項５】
左右に隣り合うベース板の互いに重ね合わせた部分を固定フレームで押さえたことを特徴とする請求項１乃至請求項４のいずれかに記載の屋根機能パネルの取り付け構造。
【請求項６】
波板状のベース板の谷部の上面に凹凸を設けたことを特徴とする請求項１乃至請求項５のいずれかに記載の屋根機能パネルの取り付け構造。
【請求項７】
波板状のベース板の軒棟方向の端部に谷部の底部と面一の平面部を左右方向に亙って設け、軒側の平面部の軒側端に軒側の平面部と棟側の平面部との間の波板形状と同じ波板形状の部分を設けたことを特徴とする請求項１乃至請求項６のいずれかに記載の屋根機能パネルの取り付け構造。
【発明の詳細な説明】
【０００１】
【発明の属する技術分野】
本発明は、屋根の屋根瓦の上に太陽電池パネル、太陽熱集熱パネル、緑化パネル等の屋根機能パネルを取り付ける構造に関するものである。
【０００２】
【従来の技術】
従来、太陽電池パネルを屋根の屋根瓦の上に設置する一例としては、例えば、図１５に示すものがある。金属にて矩形状に形成せる平板状のベース板１′の四隅に図１５（ａ）に示すように取り付け孔２を穿孔し、この取り付け孔２に取り付け金具３をビスにて図１５（ｂ）に示すように取着する。次いでこのベース板１′を平板瓦のような屋根瓦を葺いた屋根面上に載せ、ベース板１′に予め設けたスリット状の固定孔から釘、ビス等の固着具４を屋根下地まで打入して固定する。この際、屋根面上に複数枚のベース板１′が並べて敷設されるが、屋根面の軒棟方向に隣り合うベース板１′は重ね合わせで止水され、左右に隣り合うベース板１′間はジョイナーまたは捨て板金等を用いて止水される。固着具４を打入した部分はカバー材５で図１５（ｃ）に示すように覆われる。ベース板１′の棟側の端部とこれより棟側の屋根瓦６との間は水切り板７で止水される。このようにベース板１′を屋根面上に取り付けた状態で各ベース板１′の上には夫々太陽電池パネル８が配置され、ベース板１′に夫々太陽電池パネル８が取り付けられる。
【０００３】
また従来、太陽電池パネルを屋根の屋根瓦上に設置する他の例としては、図１６に示すものがある（例えば、特許文献１参照）。これは矩形状の枠組したフレーム部材９に太陽電池パネル８を嵌め込んで装着してあり、フレーム部材９の四隅に下方に突出する脚部１０を設けてあり、脚部１０の部分では上面から脚部１０の下端まで至るように取り付け孔１１を穿孔してある。そして脚部１０の下端を屋根面に載置することでフレーム部材９を屋根面上に設置し、取り付け孔１１から固定ねじ１２を挿通して屋根瓦６の下の屋根下地１３まて固定ねじ１２を螺合してフレーム部材９を固定している。
【０００４】
【特許文献１】
特開平１１−１３１７３４号公報
【０００５】
【発明が解決しようとする課題】
上記の図１５に示す従来例の場合、平板瓦のような屋根瓦６を葺くことにより軒棟方向に隣り合う屋根瓦６間に屋根瓦６の厚み分の段差がある屋根面上にベース板１′を載設するためにベース板１にはある程度の剛性が必要であるが、上記従来例のベース板１は単なる平板状であるために剛性があまりない。平板状のベース板１′に剛性を持たせるには板厚を増加させるなどしなければならないが、板厚を増加させると、部材のコストを増したり重量を増したりするという問題がある。また平板状のベース板１′を屋根面に設置した場合、ベース板１′と屋根面との間の水はけが悪く、汚れ、腐食の原因となるという問題がある。また平板状のベース板１′では左右に隣り合うベース板１′間の止水をする構造が複雑になるという問題がある（平板間はジョイナーまたは捨て板金などを用いて止水を確保する必要がある）。
【０００６】
また上記の図１６に示す従来例の場合、脚部１０でフレーム部材９が屋根面より上に浮くように取り付けられるために太陽電池パネル８やフレーム部材９との間に隙間ができて水はけがよいが、脚部１０でフレーム部材９全体を浮かせて支持する構造のためにフレーム部材９には剛性を要し、フレーム部材９の重量が重くなるという問題ある。また取り付け孔１１から挿通した固定ねじ１２を屋根瓦６を介して屋根下地１３まで螺合しているが、このようにして固定した場合、フレーム部材９の上から取り付け孔１１や固定ねじ１２を介して屋根下地１３まで雨水が浸入し、屋根下地を腐らせるおそれがある。
【０００７】
本発明は上記の点に鑑みてなされたものであり、剛性の高いベース板にて安定よく支持でき、しかもベース板と屋根面との間からの水はけをよくでき、さらに複数のベース板の接続を容易にでき、さらに屋根下地に水が浸入しないうように取り付けることができる屋根機能パネルの取り付け構造を提供することを課題とするものである。
【０００８】
【課題を解決するための手段】
上記課題を解決するための本発明の屋根機能パネルの取り付け構造は、左右方向に山部１５と谷部１６とを交互に設けた金属の波板状のベース板１を屋根瓦６の上に載設し、山部１５や谷部１６の長手方向と直交する方向に長手方向が向く金属の固定フレーム１７をベース板１の山部１５上にベース板１の左右方向に亙るように載置し、固定フレーム１７からビス、釘等の固着具１８をベース板１の山部、屋根瓦６を介して屋根下地１３まで打設して固定フレーム１７とベース板１とを固定し、固定フレーム１７を介してベース板１上に太陽電池パネル８、太陽熱集熱パネル、緑化パネル２６等の屋根機能パネルＡを載置し、ベース板１に固定した取り付け金具３で屋根機能パネルＡの周縁を固定したことを特徴とする。上記のように山部１５と谷部１６を交互に設けた金属の波板状のベース板１を用いていることにより板厚を厚くしたりすることなくベース板１の剛性を上げることができ、コストを削減しながら必要な強度が得られると共に、ベース板１の重量を軽減できて施工性が向上できる。ベース板１は波板状であるためにベース板１と屋根面との水はけがよくてベース板１と屋根面との間に水が溜まらず汚れや腐食の問題を発生しないようにできる。固定フレーム１７からビス、釘等の固着具１８をベース板１の山部１５、屋根瓦６を介して屋根下地１３に打設してベース板１を固定するために固着具１８を打入する部分から屋根下地１３に雨水が浸入するおそれがないものであり、しかも固定フレーム１７上に載設した屋根機能パネルＡはベース板１に固定した取り付け金具３で取り付けるために屋根機能パネルＡを固定する部分から雨水が一切浸入するおそれのないものであり、屋根下地１３や小屋裏に雨水が浸入して腐食したりするおそれがない。
【０００９】
また波板状のベース板１を左右に複数枚並べ、左右に隣り合うベース板１間で左右のベース板１の波板形状を互い重ね合わせて接続したことを特徴とすることも好ましい。このように左右に隣り合うベース板１の左右の端部を重ね合わせることにより防水的に接続できる。
【００１０】
また波板状のベース板１を軒棟方向に複数枚並べ、軒棟方向に隣り合うベース板１間で両ベース板１の波板形状を互いに重ね合わせて接続したことを特徴とすることも好ましい。このようにすることにより、軒棟方向に隣り合うベース板１の端部間を防水的に接続できると共に軒棟方向に隣り合うベース板１を左右方向に容易に位置決めできる。
【００１１】
またベース板１の左右方向の端部の少なくとも１つの山部１５を越えた内側の位置で固定フレーム１７からビス、釘等の固着具１８をベース板１の山部１５、屋根瓦６を介して屋根下地１３まで打設したことを特徴とすることも好ましい。この場合、ベース板１の左右方向の端部から離れた位置で固着具１８を打設することにより、固着具１８を打設する位置まで水が浸入しにくく、固着具１８を打入した部分から一層屋根下地１３や小屋裏に雨水が浸入するおそれがなくなる。
【００１２】
また左右に隣り合うベース板１の互いに重ね合わせた部分を固定フレーム１７で押さえたことを特徴とすることも好ましい。この場合、左右に隣り合うベース板１を重ね合わせた部分を固定フレーム１７で押さえて左右のベース板１間を一層防水的に接続できる。
【００１３】
また波板状のベース板１の谷部１６の上面に凹凸１９を設けたことを特徴とすることも好ましい。この場合、施工者がベース板１上に乗ったとき足裏を滑りにくくでき、施工者の滑落を防止できる。
【００１４】
また波板状のベース板１の軒棟方向の端部に谷部１８の底部と面一の平面部２０を左右方向に亙って設け、軒側の平面部２０の軒側端に軒側の平面部２０と棟側の平面部２０との間の波板形状と同じ波板形状の部分を設けたことを特徴とすることも好ましい。このようにしたことで、ベース板１とこのベース板１より軒先側の屋根瓦６との間及びこのベース板１より棟側の屋根瓦６との間への強風時の雨水の吹き込みを防止できる。またベース板１の山部１５の強度が向上するためにビス、釘等の固着具１８による固着時における山部１５の潰れを防止できる。
【００１５】
【発明の実施の形態】
金属板で形成せるベース板１は全体は矩形状であるが、左右方向に山部１５と谷部１６とが交互に設けてある。本例の場合、山部１５や谷部１６は台形状に形成されており、山部１５や谷部１６は軒棟方向に亙るように設けてある。このベース板１の軒棟方向の端部の適所には取り付け金具３が装着されている。この取り付け金具３は山部１５の位置で装着されるものであり、山部１５に取り付け金具３の下面を沿わせ、下からビスのような固着具２３を打入したりして固定される。
【００１６】
取り付け金具３には図８に示すように軒先側に取り付けられる軒側取り付け金具３ａと棟側に取り付けられる棟側取り付け金具３ｂとがあり、軒側取り付け金具３ａにはコ字状の嵌合溝３０を設けてあり、棟側取り付け金具３ｂには断面Ｌ字状の段部３１を設けてある。
【００１７】
屋根は野地板のような屋根下地１３の上にスレート製の平板瓦のような屋根瓦６を図１に示すように軒側から棟側に順に葺いてある。ここで符号Ｂで示す部分は屋根瓦６の曝露部、符号Ｃで示す部分は被曝露部である。このように屋根瓦６を葺いた屋根面の上に図１に示すようにベース板１が載置して取り付けられる。ベース板１を取り付けるとき、図２に示すようにチャンネル状の固定フレーム１７がベース板１の山部１５の上面上に載置される。本例の場合、ベース板１の軒側と棟側とに夫々載置されると共にベース板１の左右方向に亙るように載置される。固定フレーム１７を載せた状態で固定フレーム１７から図６に示すようにビス、釘等の固着具１８が打入され、固着具１８が山部１５、屋根瓦６を貫通して屋根下地１３まで打入され、固定フレーム１７でベース板１を押さえるように固定される。このとき、固着具１８を貫通させた部分には防水のためにコーキングが施される。
【００１８】
屋根面にベース板１を設置するとき図３に示す屋根面の左右方向及び軒棟方向に複数枚のベース板１が並ぶように設置される。左右に隣り合うベース板１間は一方のベース板１の端部の山部１５と他方のベース板１の端部の山部１５とを密着するように重ね合わせて接続される。軒棟方向に隣り合うベース板１は軒側に位置するベース板１の棟側の端部に棟側に位置するベース板１の軒側の端部を重ねると共に両ベース板１の山部１５同士及び谷部１６同士を重ねるように接続される。
このように複数枚のベース板１を取り付け状態で各ベース板１の上には夫々固定フレーム１７が載置され、固定フレーム１７から夫々固着具１８を打入してベース板１が固定される。
【００１９】
ベース板１とこのベース板１より棟側の屋根瓦６との間は水切り板７で図４、図７に示すように仕舞われる。水切り板７の棟側は軒棟方向に隣り合う屋根瓦９間に差し込まれ、水切り板７の軒側の断面逆Ｌ字状の重ね合わせ部７ａをベース板１の棟側の端部に重ね合わせてある。屋根機能パネルＡとしては本例の場合、太陽電池パネル８が用いられるものであって、各ベース板１の上に太陽電池パネル８が載置され、太陽電池パネル８が図５、図８に示すように取り付け金具３にて取り付けられる。
【００２０】
太陽電池パネル８の軒側の端部は軒側取り付け金具３ａの嵌合溝３０にパッキン材３２を介して嵌合してあり、太陽電池パネル８の棟側の端部はパッキン材３２を介して段部３１に嵌めてある。最も軒側に装着した軒側取り付け金具３ａには軒側を全長に亙って覆う軒先側カバー３３を配置してあり、ビスのような固着具３４にて取り付けてある。最も棟側に装着した棟側取り付け金具３ｂには棟側を全長に亙って覆う棟側カバー３５を配置してあり、この棟側カバー３５を固着具３４にて棟側取り付け金具３ｂに取り付けてある。この棟側カバー３５は段部３１の上方を覆っており、これにより段部３１から太陽電池パネル８が脱落しないように止めている。棟側と軒側の中間部では棟側取り付け金具３ｂと軒側取り付け金具３ａとに亙って覆う中間部カバー３６を固着具３４にて取り付けてあり、この中間部カバー３６にて段部３１の上方を覆っており、これにより段部３１から太陽電池パネル８が脱落しないように止めている。
【００２１】
上記のようにして屋根機能パネルＡとしての太陽電池パネル８が取り付けられるが、ベース板１として波板形状に成形した板金を用いることで、コストを削減しながら必要な強度が得られる。またベース板１として波板形状に成形した板金を用いることで、ベース板１同士のジョイント（軒棟方向及び左右方向）が重ね合わせて防水を確保でき、施工上やコスト面において非常に有利である。またベース板１として波板形状に成形した板金を用いることで太陽電池パネル８のような屋根機能パネルＡを取り付けるための取り付け金具３をベース板１の裏面から直接ビスのような固着具２３にて固定することが可能になる。またベース板１を波形形状の板金としたことによりベース板１の重量を軽減でき、施工性が向上する。ベース板１は波板状であるためにベース板１と屋根面との水はけがよくてベース板１と屋根面との間に水が溜まらず汚れや腐食の問題を発生しないようにできる。固定フレーム１７からビス、釘等の固着具１８をベース板１の山部１５、屋根瓦６を介して屋根下地１３に打設してベース板１を固定するために固着具１８を打入する部分から屋根下地１３に雨水が浸入するおそれがないものであり、しかも固定フレーム１７上に載設した屋根機能パネルＡはベース板１に固定した取り付け金具３で取り付けるために屋根機能パネルＡを固定する部分から雨水が一切浸入するおそれのないものであり、屋根下地１３や小屋裏に雨水が浸入して腐食したりするおそれがない。
【００２２】
またベース板１を固着具１８で固着するとき、図９（ａ）のような構造を採用することも好ましい。ベース板１の山部１５の上に固定フレーム１７を載せ、固定フレーム１７からベース板１、屋根瓦６を介して屋根下地１３まで固着具１８を打入してベース板が固着されるが、このとき左右方向の端部の１つの山部１５より内側の山部１５の部分で固着具１８を打入している。図９（ｂ）に示すようにベース板１の左右方向の端部に位置する山部１５で固着具１８を打入して固着すると図９（ｂ）の矢印ａのように固着具１８を打入した部分から雨水が浸入するおそれがあるが、端部の１山より内側の山部１５で固着具１８を打入して固着すると、そのようなおそれがなくなる。
【００２３】
またベース板１を固着具１８で固着するとき、図１０（ａ）のような構造を採用することも好ましい。左右方向に隣り合うベース板１間で端部の山部１５同士を重ね合わせるが、この山部１５同士を重ね合わせた部分より内側の山部１５の位置で固定フレーム１７からベース板１、屋根瓦６を介して屋根下地１３まで固着具１８を打入してベース板１を固定している。図１０（ｂ）に示すようにベース板１の端部の山部１５同士を重ね合わせて部分に固着グ８を打入すると、ベース板１を重ね合わせた部分に毛細管現象で浸入した雨水が図１０（ｂ）の矢印ｂに示すように固着具１８を打入した部分から浸入するおそれがあるが、山部１５同士を重ね合わせた部分より内側の山部１５の部分で固着具１８を打入するとそのようなおそれがなくなる。また隣り合うベース板１の山部１５を互いに重ね合わせた部分を固定フレーム１７で押さえており、左右に隣り合うベース板１を重ね合わせた部分を固定フレーム１７で押さえて左右のベース板１間を一層防水的に接続できるようになっている。
【００２４】
またベース板１に図１１に示すような構造を採用することも好ましい。この場合、ベース板１の谷部１６の上面に凹凸１９を設けてある。このようにベース板１の谷部１６の上面に凹凸１９を設けてあると、施工者が乗った場合においても滑りにくくなり、滑落を防止できる。またベース板１同士の滑りも防止できる。またベース板１と屋根瓦６とが密着する部分に、台風時などに雨水がその隙間に吹き込んだ場合においても、凹凸１９にて密着部分に水が溜まりにくくなり、ベース板１に錆が生じにくくなる。また上記のようにベース板１と屋根瓦６との間に水が溜まりにくくなるため、屋根瓦６の固定具（ビス、釘等）に欠陥があった場合やベース板１の固着具１８を打入した貫通穴に欠陥があった場合でも屋根下地１３や小屋裏に漏水するおそれを防止できる。また棟側の水切り板７で接続する箇所も同様に雨水の吹き込みを防止できる。
【００２５】
またベース板１は図１２に示すような構造を採用することも好ましい。ベース板１に山部１５と谷部１６を左右方向に交互に設けるとき、軒側及び棟側を端部を除いて設けてある。ベース板１の軒側と棟側とに左右方向に亙って谷部１６と面一の平面部２０を設けると共に軒側の平面部２０と棟側の平面部２０との間に軒棟方向に亙って山部１５と谷部１６とを設けてある。そして軒側の平面部２０の軒側端には上記山部１５と谷部１６とからなる波板形状と同じ波板形状にしてり、軒棟方向の長さの短い山部１５′と谷部１６′を左右方向に交互に設けてある。このベース板１５には取り付け金具３を取着する場合、山部１５の棟側の端部の近傍と山部１５′にビス等の固着具２３で取り付けてある。
【００２６】
このような構造のベース板１も図１３（ａ）に示すように屋根瓦６を吹いた屋根面の上にベース板１が載置され、図１３（ｂ）に示すようにベース板１の上に固定フレーム１７が載置され、固定フレーム１７から固着具１８が打入されて固定される。そして図１３（ｃ）に示すように複数枚のベース板１が左右方向及び軒棟方向に並べて敷設され、左右に隣り合うベース板１の端部の同士は重ね合わせられ、軒棟方向に隣り合うベース板１の平面部２０同士は重ね合わせられる。平面部２０の重ね合わせたとき、山部１５の棟側端部に山部１５′が重ね合わせられる。次いで図１３（ｄ）に示すように水切り板７でベース板１の棟側が仕舞われ、図１３（ｅ）に示すようにベース板１の上に屋根機能パネルＡとしての太陽電池パネル８が取り付け金具３にて取り付けられる。
【００２７】
上記のように軒棟方向の端部が平面部２０とし、平面部２０間を山部１５と谷部１６からなる波板形状としたことにより、軒先側に設置するベース板１の軒先端と屋根瓦６との間に強風時に雨水が入り込むのを防止でき、また水切り板７で仕舞う箇所にも同様に雨水の吹き込みを防止できる。また軒棟方向の端部を平面部２０とし、平面部２０間を山部１５と谷部１６からなる波板形状としたことにより、山部１５の強度が向上するため、固定フレーム１７で押さえて固定した際、
固着具１８の締め付けによる山部１５の潰れを防止できる。また軒先側の平面部２０の軒先端に山部１５′を設けたことにより、軒側が平面部２０であっても山部１５′を利用して取り付け金具３をビスのような固着具２３にて山部１５′の裏面側から固定が可能になり、また山部１５′と谷部１６′を設けたことにより、軒棟方向に隣り合うベース板１の位置決めが容易になり、施工性や施工精度が向上する。
【００２８】
上記の例では屋根機能パネルＡとして太陽電池パネル８を取り付けるものについて述べたが、この太陽電池パネル８の代わりに植物２５を植えた緑化パネル２６を太陽電池パネル８と同様にベース板１上に取り付け金具３にて取り付けてもよい。この緑化パネル２６は図１４に示すように排水性や通気性を有するトレイ状のパネル本体２７に培土２８を入れ、コケ類等の植物２５を植えたものである。緑化パネルＡを屋根に設置すると、屋根の緑化ができる。このとき波板形状のベース板１の上に緑化パネル２６を取り付けているので、排水が容易になり、万が一コケ類等の植物２５の根が伸びてもベース板１によって屋根瓦６まで延びるのを防止でき、植物２５の根によって屋根瓦６が割れるのを防止できる。
【００２９】
また、このように屋根の上に取り付ける屋根機能パネルＡとしては、太陽電池パネル８、緑化パネル２６以外に、太陽熱集熱パネル等があり、同様に施工することができる。
【００３０】
【発明の効果】
本発明の請求項１の発明は、左右方向に山部と谷部とを交互に設けた金属の波板状のベース板を屋根瓦の上に載設し、山部や谷部の長手方向と直交する方向に長手方向が向く金属の固定フレームをベース板の山部上にベース板の左右方向に亙るように載置し、固定フレームからビス、釘等の固着具をベース板の山部、屋根瓦を介して屋根下地まで打設して固定フレームとベース板とを固定し、固定フレームを介してベース板上に太陽電池パネル、太陽熱集熱パネル、緑化パネル等の屋根機能パネルを載置し、ベース板に固定した取り付け金具で屋根機能パネルの周縁を固定したものであって、山部と谷部を交互に設けた金属の波板状のベース板を用いているので、板厚を厚くしたりすることなくベース板の剛性を上げることができ、コストを削減しながら必要な強度が得られると共に、ベース板の重量を軽減できて施工性が向上できるものであり、しかもベース板は波板状であるためにベース板と屋根面との水はけがよくてベース板と屋根面との間に水が溜まらず汚れや腐食の問題を発生しないようにできるものであり、さらに固定フレームからビス、釘等の固着具をベース板の山部、屋根瓦を介して屋根下地に打設してベース板を固定するために固着具を打入する部分から屋根下地や小屋裏に雨水が浸入するおそれがないものであり、さらに固定フレーム上に載設した屋根機能パネルはベース板に固定した取り付け金具で押さえて取り付けるために屋根機能パネルを固定する部分から雨水が一切浸入するおそれのないものであり、屋根下地や小屋裏に雨水が浸入して腐食したりするおそれがないものである。
【００３１】
また本発明の請求項２の発明は、請求項１において、波板状のベース板を左右に複数枚並べ、左右に隣り合うベース板間で左右のベース板の波板形状を互い重ね合わせて接続したので、左右に隣り合うベース板の左右の端部を重ね合わせることにより防水的に接続できるものである。
【００３２】
また本発明の請求項３の発明は、請求項１または請求項２において、波板状のベース板を軒棟方向に複数枚並べ、軒棟方向に隣り合うベース板間で両ベース板の波板形状を互いに重ね合わせて接続したので、軒棟方向に隣り合うベース板の端部間を防水的に接続できると共に軒棟方向に隣り合うベース板を左右方向に容易に位置決めできるものである。
【００３３】
また本発明の請求項４の発明は、請求項１乃至請求項３のいずれかにおいて、ベース板の左右方向の端部の少なくとも１つの山部を越えた内側の位置で固定フレームからビス、釘等の固着具をベース板の山部、屋根瓦を介して屋根下地まで打設したので、ベース板の左右方向の端部から離れた位置で固着具を打設することにより、固着具を打設する位置まで水が浸入しにくく、固着具を打入した部分から一層屋根下地や小屋裏に雨水が浸入するおそれがなくなるものである。
【００３４】
また本発明の請求項５の発明は、請求項１乃至請求項４のいずれかにおいて、左右に隣り合うベース板の互いに重ね合わせた部分を固定フレームで押さえたので、左右に隣り合うベース板を重ね合わせた部分を固定フレームで押さえて左右のベース板間を一層防水的に接続できるものである。
【００３５】
また本発明の請求項６の発明は、請求項１乃至請求項５のいずれかにおいて、波板状のベース板の谷部の上面に凹凸を設けたので、施工者がベース板上に乗ったとき足裏を滑りにくくでき、施工者の滑落を防止できるものである。
【００３６】
また本発明の請求項７の発明は、請求項１乃至請求項６のいずれかにおいて、波板状のベース板の軒棟方向の端部に谷部の底部と面一の平面部を左右方向に亙って設け、軒側の平面部の下端に軒側の平面部と棟側の平面部との間の波板形状と同じ波板形状の部分を設けたので、ベース板とこのベース板より軒先側の屋根瓦との間及びこのベース板より棟側の屋根瓦との間への強風時の雨水の吹き込みを防止できるものであり、しかもベース板の山部の強度が向上するためにビス、釘等の固着具による固着時における山部の潰れを防止できるものである。
【図面の簡単な説明】
【図１】本発明の実施の形態の一例の施工状態を説明する斜視図である。
【図２】図１の次の施工施工状態を説明する斜視図である。
【図３】図２の次の施工状態を説明する斜視図である。
【図４】図３の次の施工状態を説明する斜視図である。
【図５】図４の次の施工状態を説明する斜視図である。
【図６】同上のベース板を固着具で固着した部分を示す断面図である。
【図７】同上の水切り板で仕舞った部分を示す断面図である。
【図８】（ａ）は同上の太陽電池パネルを取り付けた状態を示す一部切欠断面図、（ｂ）は要部の分解斜視図である。
【図９】（ａ）は同上のベース板を固着具で固着する状態を示す断面図、（ｂ）は比較例を示す断面図である。
【図１０】（ａ）は同上のベース板を固着具で固着する状態を示す断面図、（ｂ）は比較例を示す断面図である。
【図１１】同上のベース板の他の例を示す斜視図である。
【図１２】同上のベース板の他の例を示す斜視図である。
【図１３】（ａ）（ｂ）（ｃ）（ｄ）（ｅ）は図１２のベース板を用いて施工する状態を示す斜視図である。
【図１４】同上の緑化パネルを示す一部切欠断面図である。
【図１５】（ａ）（ｂ）（ｃ）（ｄ）（ｅ）は一従来例の施工状態を示す斜視図である。
【図１６】（ａ）は他の従来例を説明する斜視図、（ｂ）は要部の断面図である。
【符号の説明】
Ａ  屋根機能パネル
１  ベース板
３  取り付け金具
６  屋根瓦
８  太陽電池パネル
１３  屋根下地
１５  山部
１６  谷部
１７  固定フレーム
１８  固着具
１９  凹凸
２０  平面部
２６  緑化パネル
【図１】
2004204502.tif 000003
【図２】
2004204502.tif 000004
【図３】
2004204502.tif 000005
【図４】
2004204502.tif 000006
【図５】
2004204502.tif 000007
【図６】
2004204502.tif 000008
【図７】
2004204502.tif 000009
【図８】
2004204502.tif 000010
【図９】
2004204502.tif 000011
【図１０】
2004204502.tif 000012
【図１１】
2004204502.tif 000013
【図１２】
2004204502.tif 000014
【図１３】
2004204502.tif 000015
【図１４】
2004204502.tif 000016
【図１５】
2004204502.tif 000017
【図１６】
2004204502.tif 000018